(57)【要約】【課題】ユーザが文章を入力する際の手間及び誤記を低減する。【解決手段】電子機器（１）は、画像データを記憶する記憶部（３０）と、表示部（４０）と、制御部（１０）とを備え、制御部（１０）は、記憶部（３０）からユーザに選択された画像データを被選択画像データとして取得する画像データ取得処理と、被選択画像データについて関連するワードを画像関連ワードとして選定する関連ワード選定処理と、画像関連ワードを被選択画像データとともに表示部（４０）に表示する表示処理と、を行う。【選択図】図１
2019200729.tif 000002
【特許請求の範囲】
【請求項１】
画像データを記憶する少なくとも１つの記憶部と、少なくとも１つの表示部と、少なくとも１つの制御部とを備えた電子機器であって、
前記制御部は、
前記記憶部からユーザに選択された画像データを被選択画像データとして取得する画像データ取得処理と、
前記被選択画像データについて関連するワードを画像関連ワードとして選定する関連ワード選定処理と、
前記画像関連ワードを前記被選択画像データとともに前記表示部に表示する表示処理と、を行うことを特徴とする電子機器。
【請求項２】
前記制御部は、前記被選択画像データを認識し、前記被選択画像データに含まれる被写体に関する被写体情報を取得し、当該被写体情報に基づき前記画像関連ワードを選定することを特徴とする請求項１に記載の電子機器。
【請求項３】
前記制御部は、前記被選択画像データを認識し、前記被選択画像データに含まれる被写体としての人物の顔に係る顔情報を取得し、当該顔情報に基づき前記画像関連ワードを選定することを特徴とする請求項１または２に記載の電子機器。
【請求項４】
前記制御部は、前記被選択画像データを認識し、前記被選択画像データが撮影された環境を示すものとして前記被選択画像データに関連づけられた環境情報を取得し、当該環境情報に基づき前記画像関連ワードを選定することを特徴とする請求項１から３のいずれか１項に記載の電子機器。
【請求項５】
前記制御部は、前記被選択画像データを認識し、前記被選択画像データが撮影された位置を示すものとして前記被選択画像データに関連づけられた位置情報を取得し、当該位置情報に基づき前記画像関連ワードを選定することを特徴とする請求項１から４のいずれか１項に記載の電子機器。
【請求項６】
画像データを記憶する少なくとも１つの記憶部と、少なくとも１つの表示部と、少なくとも１つの制御部とを備えた電子機器の制御方法であって、
前記制御部が、
前記記憶部からユーザに選択された画像データを被選択画像データとして取得する画像データ取得処理と、
前記被選択画像データについて関連するワードを画像関連ワードとして選定する関連ワード選定処理と、
前記画像関連ワードを前記被選択画像データとともに前記表示部に表示する表示処理と、を実行することを特徴とする制御方法。
【請求項７】
上記請求項１に記載の電子機器に係る制御装置における各処理をコンピュータに実行させるためのプログラム。
【請求項８】
画像データを記憶する少なくとも１つの記憶部と、少なくとも１つの表示部とを備えた電子機器を制御する制御装置であって、
前記記憶部からユーザに選択された画像データを被選択画像データとして取得する画像データ取得処理部と、
前記被選択画像データについて関連するワードを画像関連ワードとして選定する関連ワード選定処理部と、
前記画像関連ワードを前記被選択画像データとともに前記表示部に表示する表示処理部と、を備えていることを特徴とする制御装置。
【発明の詳細な説明】
【技術分野】
【０００１】
本発明は電子機器、制御装置、制御方法、及びプログラムに関する。
【背景技術】
【０００２】
従来、ＳＮＳ（Social Networking Service）等のコミュニケーションサービスを多くのユーザが利用している。ユーザは、文書等を前記コミュニケーションサービスに投稿する等して前記コミュニケーションサービスを活用している。このような状況において、ユーザが文書等を前記コミュニケーションサービスに投稿し易い方法が求められている。
【０００３】
例えば、特許文献１に開示されているコメント投稿支援システムは、コミュニケーションシステムに対してユーザにより投稿されたコメントに、そのユーザにより提供される商品またはサービスを対応付ける。また、前記コメント投稿支援システムは、ユーザによって投稿されたコメントに対応付けられた商品またはサービスに応じた新たなコメントをそのユーザに提供する。
【先行技術文献】
【特許文献】
【０００４】
【特許文献１】特開２０１２−１６４２７３号公報（２０１２年８月３０日公開）
【発明の概要】
【発明が解決しようとする課題】
【０００５】
特許文献１に開示されているコメント投稿支援システムでは、商品またはサービスを提供するユーザによる、コミュニーションサービスへのコメントの投稿の有無に基づいて、ユーザへコメントをおすすめすることを可能とする効果を奏する。しかしながら、特許文献１に開示されているコメント投稿支援システムは、さらなる改善の余地を有している。
【０００６】
本発明の一態様は、ユーザが文章を入力する際の手間及び誤記を低減することを目的とする。
【課題を解決するための手段】
【０００７】
上記の課題を解決するために、本発明の一態様に係る電子機器は、画像データを記憶する少なくとも１つの記憶部と、少なくとも１つの表示部と、少なくとも１つの制御部とを備えた電子機器であって、前記制御部は、前記記憶部からユーザに選択された画像データを被選択画像データとして取得する画像データ取得処理と、前記被選択画像データについて関連するワードを画像関連ワードとして選定する関連ワード選定処理と、前記画像関連ワードを前記被選択画像データとともに前記表示部に表示する表示処理と、を行う。
【０００８】
本発明の一態様に係る制御方法は、画像データを記憶する少なくとも１つの記憶部と、少なくとも１つの表示部と、少なくとも１つの制御部とを備えた電子機器の制御方法であって、前記制御部が、前記記憶部からユーザに選択された画像データを被選択画像データとして取得する画像データ取得処理と、前記被選択画像データについて関連するワードを画像関連ワードとして選定する関連ワード選定処理と、前記画像関連ワードを前記被選択画像データとともに前記表示部に表示する表示処理と、を実行する。
【０００９】
本発明の一態様に係る制御装置は、画像データを記憶する少なくとも１つの記憶部と、少なくとも１つの表示部とを備えた電子機器を制御する制御装置であって、前記記憶部からユーザに選択された画像データを被選択画像データとして取得する画像データ取得処理部と、前記被選択画像データについて関連するワードを画像関連ワードとして選定する関連ワード選定処理部と、前記画像関連ワードを前記被選択画像データとともに前記表示部に表示する表示処理部と、を備えている。
【発明の効果】
【００１０】
本発明の一態様によれば、ユーザが文章を入力する際の手間及び誤記を低減することができる。
【図面の簡単な説明】
【００１１】
【図１】本発明の実施形態１に係る電子機器の構成を示すブロック図である。
【図２】図１に示す電子機器が備える関連ワード選定処理部の構成を示すブロック図である。
【図３】図１に示す電子機器が行う処理を示すフローチャートである。
【図４】（ａ）は、電子機器が備える表示部の表示を示す図であり、（ｂ）は、表示部が表示する画像選択画面を示す図である。
【図５】（ａ）は、電子機器が備える表示部に画像関連ワードが選択可能なメニューが表示されている様子を示す図であり、（ｂ）は、表示部に画像関連ワードが入力された様子を示す図である。
【図６】本発明の実施形態２に係る電子機器の構成を示すブロック図である。
【発明を実施するための形態】
【００１２】
〔実施形態１〕
（電子機器１の要部構成）
図１は、本発明の実施形態１に係る電子機器１の構成を示すブロック図である。図２は、電子機器１が備える関連ワード選定処理部２３０の構成を示すブロック図である。電子機器１としては、例えば、スマートフォン等の情報端末が挙げられる。
【００１３】
電子機器１は、図１に示すように、制御部１０、カメラ２０、記憶部３０、及び表示部４０を備えており、クラウドサーバー２と通信を行う。制御部１０、記憶部３０、及び表示部４０については、単数であってもよいし、複数であってもよい。また、制御部１０を備え、電子機器１を制御する制御装置についても本発明の範疇に入る。この制御装置は、単数であってもよいし、複数であってもよい。
【００１４】
制御部１０は、文字入力アプリ実行部１００、ＳＮＳクライアントアプリ実行部２００、カメラ制御アプリ実行部３００、及び管理／表示アプリ実行部（表示処理部）４００を備えている。
【００１５】
文字入力アプリ実行部１００は、ユーザによる操作に応じて文字入力処理を行う。なお、文字入力アプリ実行部１００に関して、既存の文字入力アプリには、拡張機能を解放することによりプラグイン形式で機能を拡張することができるものがある。このようなアプリに対しては、プラグイン形式で拡張機能を提供してもよい。
【００１６】
ＳＮＳクライアントアプリ実行部２００は、ＳＮＳサーバー２７に文章及び／または画像等を送信する。また、ＳＮＳクライアントアプリ実行部２００は、入力受付部２１０、画像データ取得処理部２２０、関連ワード選定処理部２３０、選定ワードメニュー処理部２４０、及び文章／画像送信操作部２５０を備えている。
【００１７】
入力受付部２１０は、文字入力アプリ実行部１００からの入力文字を受け付ける。画像データ取得処理部２２０は、管理／表示アプリ実行部４００を介して、記憶部３０からユーザに選択された画像データを被選択画像データとして取得する。
【００１８】
関連ワード選定処理部２３０は、当該被選択画像データについて関連するワードを画像関連ワードとして選定する。また、関連ワード選定処理部２３０は、図２に示すように、画像認識エンジン２３１、顔認識エンジン２３２、位置情報取得部２３３、及び環境情報取得部２３４を備えている。
【００１９】
画像認識エンジン２３１は、記憶部３０から取得された被選択画像データに含まれる被写体に関する被写体情報を前記画像データから認識する。顔認識エンジン２３２は、前記画像データに含まれる被写体としての人物の顔に係る顔情報を前記画像データから認識する。なお、画像認識エンジン２３１が画像データから被写体情報を認識する方法、及び顔認識エンジン２３２が画像データから顔情報を認識する方法は公知であるため、ここでは説明を省略する。
【００２０】
位置情報取得部２３３は、前記画像データが撮影された位置を示すものとして前記画像データに関連づけられた位置情報を取得する。環境情報取得部２３４は、前記画像データが撮影された環境を示すものとして前記画像データに関連づけられた環境情報を取得する。また、環境情報取得部２３４は、カメラ制御アプリ実行部３００によって設定されたカメラ２０の設定内容に関するデータを取得する。
【００２１】
選定ワードメニュー処理部２４０は、前記画像関連ワードをメニューとして表示部４０に表示する処理を行う。文章／画像送信操作部２５０は、ＳＮＳサーバー２７に文章及び／または画像を送信する操作を行う。
【００２２】
カメラ制御アプリ実行部３００は、カメラ２０を制御し、カメラ２０の設定を行う。管理／表示アプリ実行部４００は、記憶部３０に記憶されている画像データを表示部４０に表示し、画像データを選択する。
【００２３】
カメラ２０は、電子機器１の外部の様子を撮影する撮像装置である。記憶部３０は、カメラ２０で電子機器１の外部の様子を撮影することにより生成された画像データ等を記憶する。表示部４０は、例えば、ディスプレイであり、当該画像データ及び／または文字入力アプリ実行部１００によって入力された文字等を表示する。
【００２４】
クラウドサーバー２は、情報取得サーバー２５、位置情報提供サーバー２６、及びＳＮＳサーバー２７を備えている。クラウドサーバー２は、例えば、データまたはソフトウェアの所在を意識することなく、ネットワークに接続された複数の装置にそれぞれの機能を持たせ、必要に応じて必要な情報を取り出すことができるクラウドサービスである。
【００２５】
情報取得サーバー２５は、電子機器１の内部で得ることができない情報を、インターネットを介して取得するサーバーである。位置情報提供サーバー２６は、位置情報取得部２３３によって取得された位置情報を参照し、前記位置情報についてインターネットを介して位置の名称を取得するサーバーである。ＳＮＳサーバー２７は、電子機器１から受信したデータに基づいて、各種サービスを提供するサーバーである。
【００２６】
（電子機器１の処理）
次に、電子機器１の処理（制御方法）について、図３〜図５を用いて説明する。図３は、電子機器１が行う処理を示すフローチャートである。図４の（ａ）は、電子機器１が備える表示部４０の表示を示す図である。図４の（ｂ）は、表示部４０が表示する画像選択画面を示す図である。図５の（ａ）は、電子機器１が備える表示部４０に画像関連ワードが選択可能なメニューが表示されている様子を示す図である。図５の（ｂ）は、表示部４０に画像関連ワードが入力された様子を示す図である。
【００２７】
図３に示すように、まず、文字入力アプリ実行部１００は、ユーザによる操作に応じて文字入力処理を行う（ステップＳ１０）。具体的には、ユーザが、図４の（ａ）に示す入力操作部４２０を操作する。入力操作部４２０は、文字入力アプリ実行部１００によって表示部４０の下方に表示された領域である。
【００２８】
ユーザによって入力操作部４２０が操作されると、文字入力アプリ実行部１００は、図４の（ａ）に示す入力表示部４１０に対して文字入力処理を行う。入力表示部４１０は、入力受付部２１０によって表示部４０の上方に表示された領域である。文字入力アプリ実行部１００が文字入力処理を行うと、入力受付部２１０は、文字入力アプリ実行部１００からの入力文字を受け付ける。
【００２９】
入力受付部２１０は、文字入力アプリ実行部１００からの入力文字を受け付けると、入力文字を表示部４０に表示する（ステップＳ２０）。入力受付部２１０は、表示部４０に表示された入力文字（文章）のデータを文章／画像送信操作部２５０に供給する。一方、画像データの添付を行う場合（ステップＳ３０にてＹＥＳの場合）、ユーザが、図４の（ａ）に示す画像添付ボタン４３０を押下する。画像添付ボタン４３０は、画像データ取得処理部２２０によって表示部４０のうち入力表示部４１０と入力操作部４２０との間に表示されるボタンである。
【００３０】
ユーザによって画像添付ボタン４３０が押下されると、管理／表示アプリ実行部４００は、記憶部３０に記憶されている複数の画像データを取得する。なお、記憶部３０に画像データが記憶されていない場合、ユーザによって画像添付ボタン４３０が押下された後、画像データ取得処理部２２０がカメラ制御アプリ実行部３００にカメラ２０を起動するように指示してもよい。このとき、カメラ２０が起動し、ユーザによる操作によってカメラ２０で撮影が行われた後、カメラ２０で外部の様子を撮影することにより生成された画像データが記憶部３０に記憶される。
【００３１】
また、ユーザによって画像添付ボタン４３０が押下された後、記憶部３０に既に記憶されている画像データを選択する動作、及びカメラ２０を起動する動作のうちいずれか一方をユーザが選択することができるようにしてもよい。
【００３２】
管理／表示アプリ実行部４００は、図４の（ｂ）に示すように、表示部４０に複数の画像データ（画像選択画面）を表示する。このとき、例えば、複数の画像データのうち、カメラ２０によって撮影されることにより生成された画像データｐ１をユーザが選択した場合を考える。この場合、管理／表示アプリ実行部４００は、ユーザに選択された画像データｐ１を画像データ取得処理部２２０に供給し、表示部４０に表示する。なお、ユーザは表示部４０に表示された複数の画像データのうち２つ以上の画像データを選択することもできる。
【００３３】
画像データ取得処理部２２０は、管理／表示アプリ実行部４００から供給された画像データｐ１を被選択画像データとして取得する。画像データ取得処理部２２０は、取得した画像データｐ１を入力表示部４１０に添付する（ステップＳ４０）。また、画像データ取得処理部２２０は、取得した画像データｐ１を文章／画像送信操作部２５０に供給する。
【００３４】
画像データ取得処理部２２０が入力表示部４１０に画像データｐ１を添付すると、画像データ取得処理部２２０は、関連ワード選定処理部２３０に後述する画像関連ワードを選定するように指示し、関連ワード選定処理部２３０に画像データｐ１を供給する（ステップＳ５０）。
【００３５】
関連ワード選定処理部２３０は、画像データ取得処理部２２０によって添付された画像データｐ１を参照する。このとき、図２に示す画像認識エンジン２３１は、画像データｐ１を認識し、図５の（ａ）に示す画像データｐ１に含まれる被写体ｓ１〜ｓ５に関する被写体情報を画像データｐ１から認識する。関連ワード選定処理部２３０は、被写体ｓ１〜ｓ５に関する被写体情報を画像認識エンジン２３１から取得する。
【００３６】
関連ワード選定処理部２３０が画像関連ワードを選定することができた場合（ステップＳ５５にてＹＥＳの場合）について以下に説明する。関連ワード選定処理部２３０は、被写体ｓ１〜ｓ５に関する被写体情報それぞれに対して、画像関連ワードとして「鹿」、「海」、「山」、「晴れ」、及び「鳥居」を選定する。
【００３７】
具体的には、関連ワード選定処理部２３０は、被写体ｓ１〜ｓ５に関する被写体情報を参照することにより、被写体ｓ１〜ｓ３、ｓ５の名称、及び被写体ｓ４の天気の状態の名称を画像関連ワードとして選定する。つまり、関連ワード選定処理部２３０は、画像データｐ１に含まれる被写体ｓ１〜ｓ５に関する被写体情報を画像認識エンジン２３１から取得し、当該被写体情報に基づき画像関連ワードを選定する。
【００３８】
なお、関連ワード選定処理部２３０が被写体情報に基づき画像関連ワードを選定することができない場合、画像認識エンジン２３１は、認識した被写体情報を情報取得サーバー２５に供給する。情報取得サーバー２５は、電子機器１の内部で得ることができない情報を、インターネットを介して取得し、取得した情報を画像認識エンジン２３１に供給する。関連ワード選定処理部２３０は、情報取得サーバー２５から画像認識エンジン２３１に供給された情報を参照することにより画像関連ワードを選定する。
【００３９】
図２に示す顔認識エンジン２３２は、画像データｐ１を認識し、図５の（ａ）に示す画像データｐ１に被写体としての人物の顔に係る顔情報が含まれていないと判断し、画像データｐ１から顔情報を認識しない。
【００４０】
なお、画像データ取得処理部２２０によって添付された画像データに当該顔情報が含まれている場合、顔認識エンジン２３２は、画像データを認識し、画像データに含まれる顔情報を画像データから認識する。顔認識エンジン２３２は、認識した顔情報を情報取得サーバー２５に供給する。情報取得サーバー２５は、電子機器１の内部で得ることができない情報を、インターネットを介して取得し、取得した情報を顔認識エンジン２３２に供給する。
【００４１】
関連ワード選定処理部２３０は、情報取得サーバー２５から顔認識エンジン２３２に供給された情報を参照することにより、被写体としての人物の名前を画像関連ワードとして選定する。つまり、関連ワード選定処理部２３０は、画像データに含まれる被写体としての人物の顔に係る顔情報を顔認識エンジン２３２から取得し、当該顔情報に基づき画像関連ワードを選定する。
【００４２】
図２に示す位置情報取得部２３３は、図５の（ａ）に示す画像データｐ１を認識し、画像データｐ１が撮影された位置を示すものとして画像データｐ１に関連づけられた位置情報を取得する。位置情報取得部２３３は、取得した位置情報を位置情報提供サーバー２６に供給する。
【００４３】
位置情報提供サーバー２６は、位置情報取得部２３３から供給された位置情報、及び／またはカメラ２０での画像データｐ１の撮影時にＧＰＳ（Global Positioning System）により取得された情報を参照する。位置情報取得部２３３は、前記位置情報及び／またはＧＰＳにより取得された情報についてインターネットを介して位置の名称を取得する。なお、前記位置情報は、画像データｐ１に含まれる情報であり、カメラ２０での撮影時にＧＰＳにより取得された情報は、カメラ制御アプリ実行部３００から位置情報提供サーバー２６に供給される。
【００４４】
このとき、画像データｐ１について、位置情報提供サーバー２６が取得した位置の名称は、「Ｍ島」及び「Ｉ神社」である。位置情報提供サーバー２６は、取得した位置の名称を位置情報取得部２３３に供給する。関連ワード選定処理部２３０は、位置情報提供サーバー２６から位置情報取得部２３３に供給された位置の名称を参照することにより、画像関連ワードとして「Ｍ島」及び「Ｉ神社」を選定する。つまり、関連ワード選定処理部２３０は、画像データｐ１が撮影された位置を示すものとして画像データｐ１に関連づけられた位置情報を取得し、当該位置情報に基づき画像関連ワードを選定する。
【００４５】
図２に示す環境情報取得部２３４は、画像データｐ１を認識し、図５の（ａ）に示す画像データｐ１が撮影された環境を示すものとして画像データｐ１に関連づけられた環境情報を取得する。具体的には、環境情報取得部２３４は、カメラ２０での撮影時に画像データｐ１が生成されたとき、カメラ制御アプリ実行部３００からカメラ２０の設定内容に関するデータ（環境情報）を取得する。
【００４６】
このとき、例えば、カメラ２０の設定として夜景を撮影するシーンが設定されている場合、関連ワード選定処理部２３０は、環境情報取得部２３４が取得したカメラ２０の設定内容に関するデータを参照することにより、画像関連ワードとして「夜景」を選定する。つまり、関連ワード選定処理部２３０は、環境情報取得部２３４が取得した環境情報に基づき画像関連ワードを選定する。なお、関連ワード選定処理部２３０が画像関連ワードを最終的に選定することができなかった場合（ステップＳ５５にてＮＯの場合）、ステップＳ８０に移る。
【００４７】
関連ワード選定処理部２３０は、選定した画像関連ワードを選定ワードメニュー処理部２４０に供給する。選定ワードメニュー処理部２４０は、図５の（ａ）に示すように、選定した画像関連ワードをリスト化し、リスト化した画像関連ワードを選択可能なメニュー４５０として表示部４０に表示する（ステップＳ６０）。
【００４８】
なお、このとき、ユーザは、図５の（ａ）に示すリストＯＮ／ＯＦＦ切り替えボタン４６０を押下することにより、メニュー４５０を非表示にすることができる。リストＯＮ／ＯＦＦ切り替えボタン４６０を再度押下すると、メニュー４５０を表示させることができる。リストＯＮ／ＯＦＦ切り替えボタン４６０は、選定ワードメニュー処理部２４０によって表示部４０のうち入力表示部４１０と入力操作部４２０との間に表示されるボタンである。メニュー４５０の表示と非表示との切り替えは、リストＯＮ／ＯＦＦ切り替えボタン４６０を設ける方法以外の方法で行われてもよい。
【００４９】
リスト化された画像関連ワードが選択可能なメニュー４５０として表示部４０に表示された後、ユーザは、メニュー４５０から文章に利用する画像関連ワードを選択する（ステップＳ７０）。ユーザが画像関連ワードを選択すると、選定ワードメニュー処理部２４０は、ユーザによって選択された画像関連ワードを示す情報を入力受付部２１０に供給する。
【００５０】
入力受付部２１０は、選定ワードメニュー処理部２４０から供給された画像関連ワードを示す情報を参照し、ユーザによって選択された画像関連ワードを入力表示部４１０に表示する。つまり、ユーザがメニュー４５０から文章に利用する画像関連ワードを選択すると、図５の（ｂ）に示すように、ユーザによって選択された画像関連ワードが入力表示部４１０に入力される。入力受付部２１０は、表示部４０に表示された入力文字（文章）及び画像のデータを文章／画像送信操作部２５０に供給する。
【００５１】
また、画像データの添付を行わない、または画像データの添付が完了した場合（ステップＳ３０にてＮＯの場合）、ステップＳ８０に移る。ステップＳ８０において、ユーザが文字の入力を完了していない場合（ステップＳ８０にてＮＯの場合）、ステップＳ１０の処理に戻る。
【００５２】
ステップＳ１０〜ステップＳ８０を繰り返し行うことにより、ユーザは、入力操作部４２０からの入力、及びメニュー４５０からの入力を組み合わせて行うことができる。例えば、ユーザは、「今、Ｉ神社にいる。今日のＭ島は晴れ！鹿も気持ち良さそうにしている。」というような文章を作成することができる。この文章のうち「Ｉ神社」、「Ｍ島」、「晴れ」、及び「鹿」というワードは、メニュー４５０から入力されたものであり、これらのワード以外のワードは、入力操作部４２０から入力されたものである。
【００５３】
ステップ８０において、ユーザが文字の入力を完了した場合（ステップＳ８０にてＹＥＳの場合）、ユーザは表示部４０に表示されている投稿ボタン４４０を押下する（ステップＳ９０）。投稿ボタン４４０は、例えば、図５の（ａ）、（ｂ）に示すように、表示部４０の右上に表示されている。投稿ボタン４４０は、ＳＮＳサーバー２７に文章及び／または画像を送信するためのものである。
【００５４】
ユーザによって投稿ボタン４４０を押下されると、文章／画像送信操作部２５０は、ＳＮＳサーバー２７に、表示部４０に表示された入力文字（文章）及び画像のデータを送信する（ステップＳ１００）。
【００５５】
以上により、電子機器１では、被選択画像データについて関連するワードを画像関連ワードとして選定し、画像関連ワードを被選択画像データとともに表示部４０に表示する。これにより、例えば、ユーザによって選択された画像関連ワードが入力される場合、ユーザによる文章入力を支援することができるため、ユーザが文章を入力する際の手間及び誤記を低減することができる。
【００５６】
また、電子機器１は、画像データｐ１に含まれる被写体に関する被写体情報を認識し、当該被写体情報に基づき画像関連ワードを選定する。これにより、画像データｐ１に含まれる被写体に関する被写体情報に基づいた画像関連ワードを被選択画像データとともに表示部４０に表示することができる。
【００５７】
さらに、電子機器１は、画像データに含まれる被写体としての人物の顔に係る顔情報を認識し、当該顔情報に基づき画像関連ワードを選定する。これにより、画像データに含まれる被写体としての人物の顔に係る顔情報に基づいた画像関連ワードを被選択画像データとともに表示部４０に表示することができる。
【００５８】
電子機器１は、画像データｐ１が撮影された環境を示すものとして画像データｐ１に関連づけられた環境情報を取得し、当該環境情報に基づき画像関連ワードを選定する。これにより、画像データｐ１が撮影された環境を示すものとして画像データｐ１に関連づけられた環境情報に基づいた画像関連ワードを被選択画像データとともに表示部４０に表示することができる。
【００５９】
電子機器１は、画像データｐ１が撮影された位置を示すものとして画像データｐ１に関連づけられた位置情報を取得し、当該位置情報に基づき画像関連ワードを選定する。これにより、画像データｐ１が撮影された位置を示すものとして画像データｐ１に関連づけられた位置情報に基づいた画像関連ワードを被選択画像データとともに表示部４０に表示することができる。
【００６０】
〔実施形態２〕
図６は、本発明の実施形態２に係る電子機器１ａの構成を示すブロック図である。なお、説明の便宜上、前記実施形態にて説明した部材と同じ機能を有する部材については、同じ符号を付記し、その説明を繰り返さない。
【００６１】
電子機器１ａは、図６に示すように、電子機器１と比べて、制御部１０が制御部１０ａに変更されている点が異なる。制御部１０ａは、制御部１０と比べて、文字入力アプリ実行部１００及びＳＮＳクライアントアプリ実行部２００がそれぞれ、文字入力アプリ実行部１００ａ及びＳＮＳクライアントアプリ実行部２００ａに変更されている点が異なる。
【００６２】
電子機器１ａでは、入力受付部１１０、画像データ取得処理部１２０、関連ワード選定処理部１３０、及び選定ワードメニュー処理部１４０を文字入力アプリ実行部１００ａに設けている。入力受付部１１０、画像データ取得処理部１２０、関連ワード選定処理部１３０、及び選定ワードメニュー処理部１４０は、入力受付部２１０、画像データ取得処理部２２０、関連ワード選定処理部２３０、及び選定ワードメニュー処理部２４０と同一の処理を行う。
【００６３】
以上のように、入力受付部１１０、画像データ取得処理部１２０、関連ワード選定処理部１３０、及び選定ワードメニュー処理部１４０を文字入力アプリ実行部１００ａに設けることにより、文字入力アプリ実行部１００ａで画像関連ワードを選定することもできる。
【００６４】
〔ソフトウェアによる実現例〕
電子機器１、１ａの制御ブロック（特に制御部１０及び制御部１０ａ）は、集積回路（ＩＣチップ）等に形成された論理回路（ハードウェア）によって実現してもよいし、ソフトウェアによって実現してもよい。
【００６５】
後者の場合、電子機器１、１ａは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６６】
〔まとめ〕
本発明の態様１に係る電子機器（１、１ａ）は、画像データを記憶する少なくとも１つの記憶部（３０）と、少なくとも１つの表示部（４０）と、少なくとも１つの制御部（１０）とを備えた電子機器であって、前記制御部は、前記記憶部からユーザに選択された画像データを被選択画像データとして取得する画像データ取得処理と、前記被選択画像データについて関連するワードを画像関連ワードとして選定する関連ワード選定処理と、前記画像関連ワードを前記被選択画像データとともに前記表示部に表示する表示処理と、を行う。
【００６７】
上記構成によれば、被選択画像データについて関連するワードを画像関連ワードとして選定し、画像関連ワードを被選択画像データとともに表示部に表示する。これにより、例えば、ユーザによって選択された画像関連ワードが入力される場合、ユーザによる文章入力を支援することができるため、ユーザが文章を入力する際の手間及び誤記を低減することができる。
【００６８】
本発明の態様２に係る電子機器（１、１ａ）は、上記態様１において、前記制御部（１０）は、前記被選択画像データを認識し、前記被選択画像データに含まれる被写体に関する被写体情報を取得し、当該被写体情報に基づき前記画像関連ワードを選定することが好ましい。
【００６９】
上記構成によれば、被選択画像データに含まれる被写体に関する被写体情報を取得し、当該被写体情報に基づき画像関連ワードを選定する。これにより、被選択画像データに含まれる被写体に関する被写体情報に基づいた画像関連ワードを被選択画像データとともに表示部に表示することができる。
【００７０】
本発明の態様３に係る電子機器（１、１ａ）は、上記態様１または２において、前記制御部（１０）は、前記被選択画像データを認識し、前記被選択画像データに含まれる被写体としての人物の顔に係る顔情報を取得し、当該顔情報に基づき前記画像関連ワードを選定することが好ましい。
【００７１】
上記構成によれば、被選択画像データに含まれる被写体としての人物の顔に係る顔情報を取得し、当該顔情報に基づき画像関連ワードを選定する。これにより、被選択画像データに含まれる被写体としての人物の顔に係る顔情報に基づいた画像関連ワードを被選択画像データとともに表示部に表示することができる。
【００７２】
本発明の態様４に係る電子機器（１、１ａ）は、上記態様１から３のいずれかにおいて、前記制御部（１０）は、前記被選択画像データを認識し、前記被選択画像データが撮影された環境を示すものとして前記被選択画像データに関連づけられた環境情報を取得し、当該環境情報に基づき前記画像関連ワードを選定することが好ましい。
【００７３】
上記構成によれば、被選択画像データが撮影された環境を示すものとして被選択画像データに関連づけられた環境情報に基づいた画像関連ワードを被選択画像データとともに表示部に表示することができる。
【００７４】
本発明の態様５に係る電子機器（１、１ａ）は、上記態様１から４のいずれかにおいて、前記制御部（１０）は、前記被選択画像データを認識し、前記被選択画像データが撮影された位置を示すものとして前記被選択画像データに関連づけられた位置情報を取得し、当該位置情報に基づき前記画像関連ワードを選定することが好ましい。
【００７５】
上記構成によれば、被選択画像データが撮影された位置を示すものとして被選択画像データに関連づけられた位置情報に基づいた画像関連ワードを被選択画像データとともに表示部に表示することができる。
【００７６】
本発明の態様６に係る制御方法は、画像データを記憶する少なくとも１つの記憶部（３０）と、少なくとも１つの表示部（４０）と、少なくとも１つの制御部（１０、１０ａ）とを備えた電子機器（１、１ａ）の制御方法であって、前記制御部が、前記記憶部からユーザに選択された画像データを被選択画像データとして取得する画像データ取得処理と、前記被選択画像データについて関連するワードを画像関連ワードとして選定する関連ワード選定処理と、前記画像関連ワードを前記被選択画像データとともに前記表示部に表示する表示処理と、を実行する。上記構成によれば、上記態様１と同様の効果を奏する。
【００７７】
本発明の態様７に係る制御装置は、画像データを記憶する少なくとも１つの記憶部（３０）と、少なくとも１つの表示部（４０）とを備えた電子機器（１、１ａ）を制御する制御装置であって、前記記憶部からユーザに選択された画像データを被選択画像データとして取得する画像データ取得処理部（２２０）と、前記被選択画像データについて関連するワードを画像関連ワードとして選定する関連ワード選定処理部（２３０）と、前記画像関連ワードを前記被選択画像データとともに前記表示部に表示する表示処理部（管理／表示アプリ実行部４００）と、を備えている。上記構成によれば、上記態様１と同様の効果を奏する。
【００７８】
本発明の各態様に係る電子機器（１、１ａ）は、コンピュータによって実現してもよく、この場合には、コンピュータを上記電子機器が備える各部（ソフトウェア要素）として動作させることにより上記電子機器をコンピュータにて実現させる電子機器の制御プログラム、及びそれを記録したコンピュータ読み取り可能な記録媒体も、本発明の範疇に入る。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８０】
１、１ａ  電子機器                  ２  クラウドサーバー
１０、１０ａ  制御部                ２０  カメラ
２５  情報取得サーバー              ２６  位置情報提供サーバー
２７  ＳＮＳサーバー                ３０  記憶部
４０  表示部                        １００、１００ａ  文字入力アプリ実行部
１１０、２１０  入力受付部          １２０、２２０  画像データ取得処理部
１３０、２３０  関連ワード選定処理部
１４０、２４０  選定ワードメニュー処理部
２００、２００ａ  ＳＮＳクライアントアプリ実行部
２３１  画像認識エンジン            ２３２  顔認識エンジン
２３３  位置情報取得部              ２３４  環境情報取得部
２５０  文章／画像送信操作部        ３００  カメラ制御アプリ実行部
４００  管理／表示アプリ実行部      ４１０  入力表示部
４２０  入力操作部                  ４３０  画像添付ボタン
４４０  投稿ボタン                  ４５０  メニュー
４６０  リストＯＮ／ＯＦＦ切り替えボタン
ｐ１  画像データ                    ｓ１〜ｓ５  被写体
【図１】
2019200729.tif 000003
【図２】
2019200729.tif 000004
【図３】
2019200729.tif 000005
【図４】
2019200729.tif 000006
【図５】
2019200729.tif 000007
【図６】
2019200729.tif 000008